(57)【特許請求の範囲】
【請求項１】
データを送信する送信装置と所定の通信路を経て上記データを受信する受信装置との間におけるデータ通信品質を制御する通信品質レベル制御システムにおいて、
上記受信装置は、
当該受信装置が上記データを実際に受信したときの受信状態に応じた上記データ通信品質に関する品質データを、受信時刻と、所定範囲で区分けされた受信領域とに対応付けることにより、上記データ通信品質に関する履歴情報を生成して蓄積する履歴情報蓄積手段と、
指定された時刻と上記受信時刻とがほぼ該当し、かつ指定された位置の周辺を含む複数の上記受信領域に該当する上記履歴情報の上記品質データを上記履歴情報蓄積手段からそれぞれ読み出し、所定の表示部に表示した地図上に上記品質データを複数の上記受信領域に分けてそれぞれ表示すると共に、上記指定された時刻と上記受信時刻とが該当しないが上記指定された位置の周辺を含む複数の上記受信領域に該当する上記品質データとその受信時刻を上記履歴情報蓄積手段からそれぞれ読み出して複数の上記受信領域に分けてそれぞれ補助的に表示することにより上記データ通信品質を受信領域毎かつ時間帯毎に分けて通知する通知手段と
を具えることを特徴とする通信品質レベル制御システム。
【請求項２】
データを送信する送信装置から所定の通信路を経て上記データを受信する受信装置であって、
当該受信装置が上記データを実際に受信したときの受信状態に応じたデータ通信品質に関する品質データを、受信時刻と、所定範囲で区分けされた受信領域とに対応付けることにより、上記データ通信品質に関する履歴情報を生成して蓄積する履歴情報蓄積手段と、
指定された時刻と上記受信時刻とがほぼ該当し、かつ指定された位置の周辺を含む複数の上記受信領域に該当する上記履歴情報の上記品質データを上記履歴情報蓄積手段からそれぞれ読み出し、所定の表示部に表示した地図上に上記品質データを複数の上記受信領域に分けてそれぞれ表示すると共に、上記指定された時刻と上記受信時刻とが該当しないが上記指定された位置の周辺を含む複数の上記受信領域に該当する上記品質データとその受信時刻を上記履歴情報蓄積手段からそれぞれ読み出して複数の上記受信領域に分けてそれぞれ補助的に表示することにより上記データ通信品質を受信領域毎かつ時間帯毎に分けて通知する通知手段と
を具えることを特徴とする受信装置。
【請求項３】
データを送信する送信装置と所定の通信路を経て上記データを受信する受信装置との間におけるデータ通信品質を制御する通信品質レベル制御システムにおいて、
上記送信装置は、
上記受信装置が上記データを実際に受信したときの受信状態に応じた上記データ通信品質に関する品質データ、受信時刻及び受信位置の供給を複数の上記受信装置から受け、当該品質データを、上記受信時刻と、上記受信位置に基づいて所定範囲に区分けされた受信領域とに対応付けることにより、上記データ通信品質に関する履歴情報をそれぞれ生成して蓄積する履歴情報蓄積手段と、
上記受信装置から指定された時刻と上記受信時刻とがほぼ該当し、かつ上記受信装置から指定された位置の周辺を含む複数の上記受信領域に該当する上記履歴情報の上記品質データを上記履歴情報蓄積手段からそれぞれ読み出し、所定の表示部に表示した地図上の複数の上記受信領域に分けて重ねると共に、上記指定された時刻と上記受信時刻とが該当しないが上記指定された位置の周辺を含む複数の上記受信領域に該当する上記品質データとその受信時刻を上記履歴情報蓄積手段からそれぞれ読み出し、上記地図上の複数の上記受信領域に対して補助的に重ねることによりガイド表示画面を生成する画面生成手段と、
上記ガイド表示画面を上記受信装置へ送信して表示させることにより上記データ通信品質を受信領域毎かつ時間帯毎に分けて通知する送信手段と
を具えることを特徴とする通信品質レベル制御システム。
【請求項４】
送信すべきデータを所定の通信路を経て受信装置へ送信する送信装置であって、
上記受信装置が上記データを実際に受信したときの受信状態に応じた上記データ通信品質に関する品質データ、受信時刻及び受信位置の供給を複数の上記受信装置から受け、当該品質データを、上記受信時刻と、上記受信位置に基づいて所定範囲に区分けされた受信領域とに対応付けることにより、上記データ通信品質に関する履歴情報をそれぞれ生成して蓄積する履歴情報蓄積手段と、
上記受信装置から指定された時刻と上記受信時刻とがほぼ該当し、かつ上記受信装置から指定された位置の周辺を含む複数の上記受信領域に該当する上記履歴情報の上記品質データを上記履歴情報蓄積手段からそれぞれ読み出し、所定の表示部に表示した地図上の複数の上記受信領域に分けて重ねると共に、上記指定された時刻と上記受信時刻とが該当しないが上記指定された位置の周辺を含む複数の上記受信領域に該当する上記品質データとその受信時刻を上記履歴情報蓄積手段からそれぞれ読み出し、上記地図上の複数の上記受信領域に対して補助的に重ねることによりガイド表示画面を生成する画面生成手段と、
上記ガイド表示画面を上記受信装置へ送信して表示させることにより上記データ通信品質を受信領域毎かつ時間帯毎に分けて通知する送信手段と
を具えることを特徴とする送信装置。
【発明の詳細な説明】
【０００１】
【発明の属する技術分野】
本発明は通信品質レベル制御システム及び履歴情報蓄積装置に関し、例えばセルラー無線通信システムに適用して好適なものである。
【０００２】
【従来の技術】
従来、セルラー無線通信システムにおいては、通信サービスを提供するエリアを所望の大きさのセルに分割して当該セル内にそれぞれ固定無線局としての基地局を設置し、移動無線局としての携帯電話機は自身が存在するセル内の基地局と無線通信するようになされている。
【０００３】
例えば図１１に示すように、セルラー無線通信システム１では、セル２内に携帯電話機３及び携帯電話機４が存在する場合、当該セル２内の基地局５と距離が近い携帯電話機３については当該基地局５及び携帯電話機３間のデータ通信速度が速く、基地局５と距離が遠い携帯電話機４については当該データ通信速度が遅くなる傾向にある。
【０００４】
またセルラー無線通信システム１では、携帯電話機３及び４と基地局５との間の距離だけでなく、フェージング等の影響や気象状態の変化等により同一の場所であっても曜日や時間帯が異なればデータ通信速度も時々刻々と変化する。
【０００５】
さらにセルラー無線通信システム１では、時分割で複数ユーザにチャンネルを割り当てるようになされているため、同一時間帯に複数ユーザからアクセスがあった場合には各自に割り当てられるスロット数が制限されることにもなる。
【０００６】
実際上、図１２に示すようにセルラー無線通信システム１では、ステップＳＰ１において基地局５は携帯電話機３及び４に対して所定周期でパイロット信号を送信し、次のステップＳＰ２へ移る。
【０００７】
このときステップＳＰ１１において携帯電話機３及び４は、基地局５から所定周期で送信されたパイロット信号を受信し、次のステップＳＰ１２へ移る。
【０００８】
ステップＳＰ１２において携帯電話機３及び４は、ステップＳＰ１１で受信したパイロット信号に基づいて実際に受信可能なデータ通信速度を測定し、その通信速度を基地局５に対して要求し、次のステップＳＰ１３へ移る。
【０００９】
ステップＳＰ２へ戻り基地局５は、携帯電話機３及び４から通信速度の要求を受け、当該携帯電話機３及び４へ送信すべき通信速度を認識し、次のステップＳＰ３へ移る。
【００１０】
ステップＳＰ３において基地局５は、同一時間帯で携帯電話機３及び４からアクセスが重なっている場合には当該携帯電話機３及び携帯電話機４に対して順次交互でかつ均等に送信スロットを割り当て、次のステップＳＰ４へ移る。
【００１１】
ステップＳＰ４において基地局５は、携帯電話機３及び携帯電話機４に対してそれぞれの送信スロットで送信データを送信し、次のステップＳＰ５へ移る。
【００１２】
この結果ステップＳＰ１３において携帯電話機３及び４は、自身に割り当てられた送信スロットのタイミングで送信データをそれぞれ受信し、次のステップＳＰ１４へ移る。
【００１３】
ステップＳＰ５に戻り基地局５は、携帯電話機３及び４に対するサービスが終了か否かを判定し、まだ送信すべき送信データが残っている場合には否定結果を得て再度ステップＳＰ１に戻り上述の処理を繰り返すのに対して、送信データを全て送信済みである場合には肯定結果を得て、次のステップＳＰ６で処理を終了する。
【００１４】
一方ステップＳＰ１４において携帯電話機３及び４は、基地局５と同様にサービスが終了か否かを判定し、基地局５から送信データを全て受信した場合には肯定結果を得、次のステップＳＰ１５で処理を終了する。
【００１５】
このようにセルラー無線通信システム１では、携帯電話機３及び４に対して送信スロットを割り当て、その送信スロットのタイミングで時分割にデータ通信するようになされている。
【００１６】
従って図１３（Ａ）に示すように、基地局５が比較的距離の近い位置に存在する１台の携帯電話機３とのみ無線通信している回線使用状況下にあっては、当該携帯電話機３に対して全ての送信スロットを割り当てることができると共に、当該基地局５及び携帯電話機３間のデータ通信速度が速いため、送信スロット毎に大容量の送信データを送信することが可能である。
【００１７】
また図１３（Ｂ）に示すように、基地局５が比較的距離の遠い位置に存在する１台の携帯電話機４とのみ無線通信している回線使用状況下にあっては、当該携帯電話機４に対して全ての送信スロットを割り当てることができるものの、当該基地局５及び携帯電話機４間のデータ通信速度が遅いため、携帯電話機３と比較すると送信スロット毎に小容量の送信データしか送信することができない。
【００１８】
さらに図１３（Ｃ）に示すように、基地局５が比較的距離の近い位置に存在する１台の携帯電話機３及び比較的距離の遠い携帯電話機４の双方と無線通信している回線使用状況下にあっては、当該携帯電話機３及び携帯電話機４に対して順次交互でかつ均等に送信スロットを割り当てることになるため、単位時間当りに送信可能な送信データ量は図１３（Ａ）及び図１３（Ｂ）の場合と比較して約半分に低減してしまうことになる。
【００１９】
すなわちセルラー無線通信システム１では、携帯電話機３及び４と基地局５との間の距離、フェージング等の影響や気象状態の変化等に加えて当該システムにおける回線使用状況の如何によってもデータ通信の通信品質レベルは大きく相違することになる。
【００２０】
【発明が解決しようとする課題】
ところでかかる構成のセルラー無線通信システム１においては、このように種々の要因によってデータ通信の通信品質レベルが大きく相違するために、ユーザに対して何時どの場所に居れば所望の通信品質レベルを得られるのかを認識させることが困難であり、最高の通信品質レベルを常時保障し得ないという問題があった。
【００２１】
本発明は以上の点を考慮してなされたもので、通信品質レベルの状況を解り易く通知することにより一段と優れた通信品質レベルでデータ通信を実行させるべきサービスを提供し得る通信品質レベル制御システム及び履歴情報蓄積装置を提案しようとするものである。
【００２２】
【課題を解決するための手段】
かかる課題を解決するため本発明においては、データを送信する送信装置と所定の通信路を経てデータを受信する受信装置との間におけるデータ通信品質を制御する通信品質レベル制御システムにおいて、受信装置は、当該受信装置がデータを実際に受信したときの受信状態に応じたデータ通信品質に関する品質データを、受信時刻と所定範囲で区分けされた受信領域とに対応付けることにより、データ通信品質に関する履歴情報を生成して蓄積する履歴情報蓄積手段と、指定された時刻と受信時刻とがほぼ該当し、かつ指定された位置の周辺を含む複数の受信領域に該当する履歴情報の品質データを履歴情報蓄積手段からそれぞれ読み出し、所定の表示部に表示した地図上に品質データを複数の受信領域に分けてそれぞれ表示すると共に、指定された時刻と受信時刻とが該当しないが指定された位置の周辺を含む複数の受信領域に該当する品質データとその受信時刻を履歴情報蓄積手段からそれぞれ読み出して複数の受信領域に分けてそれぞれ補助的に表示することによりデータ通信品質を受信領域毎かつ時間帯毎に分けて通知する通知手段とを設けるようにする。
【００２３】
この通信品質レベル制御システムでは、指定された時刻と、実際過去にデータを受信したときの受信時刻とがほぼ該当し、かつ指定された位置の周辺を含む複数の受信領域に該当する品質データを当該複数の受信領域毎に表示することに加えて、指定された時刻と一致しない他の受信時刻ではあるが、指定された位置の周辺を含む複数の受信領域に該当する品質データとその受信時刻についても補助的に表示することにより、受信領域毎かつ時間帯毎に品質データが変化することをユーザに認識させることができるので、品質データの速い受信領域へ移動するか、或いは品質データの速くなる時間帯になるまで待つかの選択肢を増やし、ユーザの使い勝手を一段と向上させることが出来る。
【００２４】
また本発明においては、データを送信する送信装置から所定の通信路を経てデータを受信する受信装置であって、当該受信装置がデータを実際に受信したときの受信状態に応じたデータ通信品質に関する品質データを、受信時刻と所定範囲で区分けされた受信領域とに対応付けることにより、データ通信品質に関する履歴情報を生成して蓄積する履歴情報蓄積手段と、指定された時刻と受信時刻とがほぼ該当し、かつ指定された位置の周辺を含む複数の受信領域に該当する履歴情報の品質データを履歴情報蓄積手段からそれぞれ読み出し、所定の表示部に表示した地図上に品質データを複数の受信領域に分けてそれぞれ表示すると共に、指定された時刻と受信時刻とが該当しないが指定された位置の周辺を含む複数の受信領域に該当する品質データとその受信時刻を履歴情報蓄積手段からそれぞれ読み出して複数の受信領域に分けてそれぞれ補助的に表示することによりデータ通信品質を受信領域毎かつ時間帯毎に分けて通知する通知手段とを設けるようにする。
【００２５】
この受信装置では、指定された時刻と、実際過去にデータを受信したときの受信時刻とがほぼ該当し、かつ指定された位置の周辺を含む複数の受信領域に該当する品質データを当該複数の受信領域毎に表示することに加えて、指定された時刻と一致しない他の受信時刻ではあるが、指定された位置の周辺を含む複数の受信領域に該当する品質データとその受信時刻についても補助的に表示することにより、受信領域毎かつ時間帯毎に品質データが変化することをユーザに認識させることができるので、品質データの速い受信領域へ移動するか、或いは品質データの速くなる時間帯になるまで待つかの選択肢を増やし、ユーザの使い勝手を一段と向上させることが出来る。
【００２６】
さらに本発明においては、データを送信する送信装置と所定の通信路を経てデータを受信する受信装置との間におけるデータ通信品質を制御する通信品質レベル制御システムにおいて、送信装置は、受信装置がデータを実際に受信したときの受信状態に応じたデータ通信品質に関する品質データ、受信時刻及び受信位置の供給を複数の受信装置から受け、当該品質データを、受信時刻と、受信位置に基づいて所定範囲に区分けされた受信領域とに対応付けることにより、データ通信品質に関する履歴情報をそれぞれ生成して蓄積する履歴情報蓄積手段と、受信装置から指定された時刻と受信時刻とがほぼ該当し、かつ受信装置から指定された位置の周辺を含む複数の受信領域に該当する履歴情報の品質データを履歴情報蓄積手段からそれぞれ読み出し、所定の表示部に表示した地図上の複数の受信領域に分けて重ねると共に、指定された時刻と受信時刻とが該当しないが指定された位置の周辺を含む複数の受信領域に該当する品質データとその受信時刻を履歴情報蓄積手段からそれぞれ読み出し、地図上の複数の受信領域に対して補助的に重ねることによりガイド表示画面を生成する画面生成手段と、ガイド表示画面を受信装置へ送信して表示させることによりデータ通信品質を受信領域毎かつ時間帯毎に分けて通知する送信手段とを設けるようにする。
この送信装置では、通知対象となる受信装置だけでなく、複数の受信装置から供給を受けた履歴情報の品質データを蓄積し得るため、豊富な種類の履歴情報を収集し、データベースとしての利用価値を高め、受信装置から指定された時刻と受信時刻とがほぼ該当し、かつ受信装置から指定された位置の周辺を含む複数の受信領域に該当する品質データを履歴情報蓄積手段からそれぞれ読み出し、所定の表示部に表示した地図上の複数の受信領域に分けて重ねると共に、指定された時刻と受信時刻とが該当しないが指定された位置の周辺を含む複数の受信領域に該当する品質データとその受信時刻を履歴情報蓄積手段からそれぞれ読み出し、地図上の複数の受信領域に対して補助的に重ねることによりガイド表示画面を生成し、これを受信装置へ送信して表示させることにより、受信領域毎かつ時間帯毎に品質データが変化することをユーザに認識させることができるので、品質データの速い受信領域へ移動するか、或いは品質データの速くなる時間帯になるまで待つかの選択肢を増やし、ユーザの使い勝手を一段と向上させることが出来る。
【００２７】
さらに本発明においては、送信すべきデータを所定の通信路を経て受信装置へ送信する送信装置であって、受信装置がデータを実際に受信したときの受信状態に応じたデータ通信品質に関する品質データ、受信時刻及び受信位置の供給を複数の受信装置から受け、当該品質データを、受信時刻と、受信位置に基づいて所定範囲に区分けされた受信領域とに対応付けることにより、データ通信品質に関する履歴情報をそれぞれ生成して蓄積する履歴情報蓄積手段と、受信装置から指定された時刻と受信時刻とがほぼ該当し、かつ受信装置から指定された位置の周辺を含む複数の受信領域に該当する履歴情報の品質データを履歴情報蓄積手段からそれぞれ読み出し、所定の表示部に表示した地図上の複数の受信領域に分けて重ねると共に、指定された時刻と受信時刻とが該当しないが指定された位置の周辺を含む複数の受信領域に該当する品質データとその受信時刻を履歴情報蓄積手段からそれぞれ読み出し、地図上の複数の受信領域に対して補助的に重ねることによりガイド表示画面を生成する画面生成手段と、ガイド表示画面を受信装置へ送信して表示させることによりデータ通信品質を受信領域毎かつ時間帯毎に分けて通知する送信手段とを設けるようにする。
この送信装置では、通知対象となる受信装置だけでなく、複数の受信装置から供給を受けた履歴情報の品質データを蓄積し得るため、豊富な種類の履歴情報を収集し、データベースとしての利用価値を高め、受信装置から指定された時刻と受信時刻とがほぼ該当し、かつ受信装置から指定された位置の周辺を含む複数の受信領域に該当する品質データを履歴情報蓄積手段からそれぞれ読み出し、所定の表示部に表示した地図上の複数の受信領域に分けて重ねると共に、指定された時刻と受信時刻とが該当しないが指定された位置の周辺を含む複数の受信領域に該当する品質データとその受信時刻を履歴情報蓄積手段からそれぞれ読み出し、地図上の複数の受信領域に対して補助的に重ねることによりガイド表示画面を生成し、これを受信装置へ送信して表示させることにより、受信領域毎かつ時間帯毎に品質データが変化することをユーザに認識させることができるので、品質データの速い受信領域へ移動するか、或いは品質データの速くなる時間帯になるまで待つかの選択肢を増やし、ユーザの使い勝手を一段と向上させることが出来る。
【００２８】
【発明の実施の形態】
以下、図面について、本発明の一実施の形態を詳述する。
【００２９】
（１）第１の実施の形態
図１において、１０は全体として本発明のセルラー無線通信システムを示し、通信サービスの提供エリアを所望の大きさのセルに分割した複数のセル内にそれぞれ同一構成の基地局１１Ａ及び１１Ｂを設置し、当該基地局１１Ａ及び１１Ｂと携帯電話機１２Ａ及び１２Ｂとを無線接続させるようになされている。
【００３０】
また基地局１１Ａ及び１１Ｂは、当該基地局１１Ａ及び１１Ｂを統括的に制御する無線通信制御装置１３に有線接続されており、当該無線通信制御装置１３はインターネット１４を介して各種コンテンツサーバ（図示せず）と接続し得るようになされている。
【００３１】
これによりセルラー無線通信システム１０は、例えば携帯電話機１２Ａを、基地局１１Ａ、無線通信制御装置１３、インターネット１４を順次介してコンテンツサーバと接続し、当該コンテンツサーバから携帯電話機１２Ａに対してコンテンツを提供し得るようになされている。
【００３２】
次に携帯電話機１２Ａ及び１２Ｂの回路構成を説明するが、当該携帯電話機１２Ａ及び１２Ｂは同様の回路構成であるため、ここでは携帯電話機１２Ａの回路構成のみを説明し、携帯電話機１２Ｂの回路構成については省略する。
【００３３】
図２に示すように携帯電話機１２Ａは、ＣＰＵ(Central Processing Unit)構成でなる制御部３０が全体を統括制御するようになされており、一般的な通信モード（音声通話又は電子メールやコンテンツ等のデータ通信）時、マイクロフォン２４で集音した音声信号や操作部３６の操作によって入力された電子メールのテキストデータ等をエンコード部２３で圧縮符号化し、その結果得られる音声データを送受信部２２により所定の変調方式で変調した後、アンテナ２１を介して基地局１１Ａへ送信する。
【００３４】
また携帯電話機１２Ａは、通信モード時、他の携帯電話機１２Ｂから基地局１１Ａを介してアンテナ２１で受信した受信信号を送受信部２２で復調処理し、その結果得られる復調データをデコード部２５により復号した後、その復号結果が音声信号であればスピーカ２６を介して通話相手の音声を出力し、復号結果がテキストデータやコンテンツデータであれば表示部２７を介してその内容を表示する。
【００３５】
これに対して携帯電話機１２Ａは、本発明におけるデータ通信品質を制御すべく周囲のデータ通信速度をユーザにガイドするデータ通信品質ガイドモードを有しており、当該データ通信品質ガイドモード時のガイド処理手順について図３のフローチャートを用いて説明する。
【００３６】
すなわち携帯電話機１２Ａの制御部３０は、ルーチンＲＴ１の開始ステップから入ってステップＳＰ２１へ移る。ステップＳＰ２１において携帯電話機１２Ａの制御部３０は、電源の投入に伴って自身が存在するセル内の基地局１１Ａと所定の制御チャンネルを介して通信接続を開始し、次のステップＳＰ２２へ移る。
【００３７】
ステップＳＰ２２において携帯電話機１２Ａの制御部３０は、データ通信品質ガイドモードへ移行するためのボタン操作がユーザによって行われたことを認識すると、当該ボタン操作が行われたときのタイミングでＲＴＣ(Real Time Clock)回路３１から供給される時刻情報ＣＬＫ１を時刻情報管理部３２により取得し、次のステップＳＰ２３へ移る。
【００３８】
ステップＳＰ２３において携帯電話機１２Ａの制御部３０は、ＧＰＳ(Global Positioning System)アンテナ３３及びＧＰＳ受信部３４を介してＧＰＳ衛星から受信した衛星信号Ｓ１を位置情報管理部３５によって解析することにより緯度、経度及び高度からなる位置情報Ｄ１を取得し、次のステップＳＰ２４へ移る。
【００３９】
ステップＳＰ２４において携帯電話機１２Ａの制御部３０は、基地局１１Ａから所定周期で送信されるパイロット信号をアンテナ２１及び送受信部２２で受信し、当該パイロット信号に基づいて現時点で受信可能なデータ通信速度Ｄ２を測定し、次のステップＳＰ２５へ移る。
【００４０】
ステップＳＰ２５において携帯電話機１２Ａの制御部３０は、ステップＳＰ２２で取得した時刻情報ＣＬＫ１、ステップＳＰ２３で取得した位置情報Ｄ１及びステップＳＰ２４で測定したデータ通信速度Ｄ２をそれぞれ対応付けることにより通信品質レベルに関する履歴情報を生成し、次のステップＳＰ２６へ移る。
【００４１】
ステップＳＰ２６において携帯電話機１２Ａの制御部３０は、ステップＳＰ２５で生成した履歴情報を時刻情報ＣＬＫに基づく時系列順に従って例えばハードディスクでなるデータ蓄積部３８に記憶することにより当該履歴情報をデータベース化し、次のステップＳＰ２７へ移る。
【００４２】
ここで図４に示すように、履歴情報をデータ蓄積部３８に記憶することによりデータベース化された内容としては、時刻情報ＣＬＫ１に基づく日時(Date)、位置情報Ｄ１に基づく緯度及び経度の現在位置(Location)、当該位置情報Ｄ１に基づく高度(Height)及びデータ通信速度Ｄ２(Throughput)が互いに対応付けられると共に、整理番号によっても指定可能な状態で記憶されている。
【００４３】
ステップＳＰ２７において携帯電話機１２Ａの制御部３０は、ユーザのボタン操作に基づいて通常の通信モードからデータ通信品質ガイドモードへの移行要求がされたか否かを判定する。ここで否定結果が得られると、データ通信品質ガイドモードへの移行要求がされていないことを表しており、このとき携帯電話機１２Ａの制御部３０は、ステップＳＰ２２へ戻る。
【００４４】
このとき携帯電話機１２Ａの制御部３０は、所定時間経過後又は端末自身が次に移動したことを検出したときにステップＳＰ２２以降の処理を繰り返し実行し、履歴情報をデータ蓄積部３８に逐次記憶してデータ収集し続けることにより、データベース化したその内容を逐次更新するようになされている。
【００４５】
これに対してステップＳＰ２７で肯定結果が得られると、このことはユーザによってデータ通信品質ガイドモードへの移行要求がされたことを表しており、このとき携帯電話機１２Ａの制御部３０は、次のステップＳＰ２８へ移る。
【００４６】
ステップＳＰ２８において携帯電話機１２Ａの制御部３０は、データ通信品質ガイドモードへの移行要求がされた現時点での時刻情報ＣＬＫ１を取得し、次のステップＳＰ２９へ移る。
【００４７】
ステップＳＰ２９において携帯電話機１２Ａの制御部３０は、ＧＰＳ受信部３４及び位置情報管理部３５を介して現時点での位置情報Ｄ１を取得し、次のステップＳＰ３０へ移る。
【００４８】
ステップＳＰ３０において携帯電話機１２Ａの制御部３０は、現時点での時刻情報ＣＬＫ１及び位置情報Ｄ１と対応する履歴情報（この場合、003423〜003427まで）をデータ蓄積装置６４から複数読出し、次のステップＳＰ３１へ移る。
【００４９】
ここでは、現時点での時刻情報ＣＬＫ１及び位置情報Ｄ１と履歴情報の時刻情報ＣＬＫ１及び位置情報Ｄ１が完全に一致している必要はなく、ある程度の誤差を含む許容範囲内で履歴情報を読み出すようになされている。
【００５０】
ステップＳＰ３１において携帯電話機１２Ａの制御部３０は、現時点での位置情報Ｄ１に基づいて当該携帯電話機１２Ａの現在位置を中心とした周囲約数１０[Ｍ]範囲内の地図データをメモリステイック４０からメモリスティックインターフェース３９を介して読出し、当該地図データの該当エリアに履歴情報のデータ通信速度を重ねることにより例えばガイド表示画面５０（図５）を生成した後、これを表示部２７に表示し、次のステップＳＰ３２へ移ってガイド処理手順を終了する。
【００５１】
このように携帯電話機１２Ａの制御部３０は、表示部２７にガイド表示画面５０を表示することにより、自身の現在位置を示す現在位置マーク５１に対して当該現在位置マーク５１を含むエリア及びその周囲のエリアに関する過去のデータ通信速度の実績をユーザに対して視覚的に通知し得るようになされている。
【００５２】
この場合ガイド表示画面５０では、各履歴情報の位置情報Ｄ１に相当する一地点だけでなくその周囲を含めた所定範囲のエリアでおおよそのデータ通信速度を通知するようにしているが、あくまで位置情報Ｄ１に相当する一点に対するデータ通信速度として通知するようにしてもよい。
【００５３】
このように携帯電話機１２Ａの制御部３０は、例えば画像データ等のデータ量の多いコンテンツをダウンロードする場合等にガイド表示画面５０で通知したデータ通信速度の速いエリアへ移動すれば短時間でダウンロードできることをユーザに対して認識させ、そのエリアへ移動させることを間接的に促すことができるので、最高の通信品質レベルでデータ通信を実行させ得るようになされている。
【００５４】
以上の構成において、携帯電話機１２Ａの制御部３０は基地局１１Ａとデータ通信を行ったときの実際のデータ通信速度Ｄ２を測定しておき、そのときの時刻情報ＣＬＫ１及び位置情報Ｄ１に当該データ通信速度Ｄ２を対応させることにより履歴情報を生成し、これを時系列に従ってデータ蓄積部３８に順次記憶することによりデータベース化する。
【００５５】
そして携帯電話機１２Ａの制御部３０は、通信モードからデータ通信品質ガイドモードへ移行要求がされたことを認識すると、その現時点とほぼ同時刻でかつ、当該携帯電話機１２Ａの現在位置の周囲近辺に関する履歴情報をデータ蓄積部３８から複数読み出し、データ通信速度Ｄ２を地図データの該当エリアに重ねたガイド表示画面５０として表示することにより、自身の現在位置を含むエリア及びその周囲のエリアに関する過去のデータ通信速度Ｄ２の実績をユーザに対して視覚的に認識させることができる。
【００５６】
このように携帯電話機１２Ａは、あくまで自身で過去に基地局１１Ａと通信したときの実際のデータ通信速度Ｄ２を履歴情報としてガイド表示画面５０に反映するようにしたことにより、時々刻々とフェージング等の種々の要因によってデータ通信速度Ｄ２が変化するような通信環境下であったとしても、かなりの高い確率でユーザに対してデータ通信速度Ｄ２の優れたエリアを認識させることができる。
【００５７】
また携帯電話機１２Ａの制御部３０は、位置情報Ｄ１に応じた一定範囲のエリアによりデータ通信速度Ｄ２を通知するのではなく、各履歴情報の位置情報Ｄ１に相当する一地点だけを指定してデータ通信速度Ｄ２を通知するようにすれば、その通知結果の信頼性はより一層高いものとなり、適確かつより正確にデータ通信速度Ｄ２を通知することができる。
【００５８】
以上の構成によれば、携帯電話機１２Ａの制御部３０は、実際に測定したデータ通信速度Ｄ２を時刻情報ＣＬＫ１及び位置情報Ｄ１に対応させて生成した履歴情報をデータ蓄積部３８に記憶してデータベース化し、ユーザから要求された時刻とほぼ同一時刻でかつほぼ同一場所を含む周辺の過去のデータ通信速度Ｄ２をガイド表示画面５０により通知することにより、現在位置及びその周囲のエリアに関するデータ通信速度Ｄ２の実績をユーザに対して視覚的かつ容易に認識させることができる。
【００５９】
これによりセルラー無線通信システム１０は、ユーザに対して、ガイド表示画面５０を介して携帯電話機１２Ａの現在位置をデータ通信品質に優れたエリアへ容易に導くことができるので、最高の通信品質レベルでデータ通信を実行させるべきサービスを提供することができる。
【００６０】
（２）第２の実施の形態
第２の実施の形態においても、セルラー無線通信システム１０（図１）の全体構成は第１の実施の形態と同様であるため、その説明は省略する。
【００６１】
図２との対応部分に同一符号を付して示す図６において、携帯電話機１２Ａの回路構成については同一であるため、第１の実施の形態と同様の動作については説明を省略すると共に、あらたに基地局１１Ａの動作について図７及び図８のフローチャートを用いて説明する。
【００６２】
図７に示すように基地局１１Ａの制御部６３は、ルーチンＲＴ２の開始ステップから入ってステップＳＰ４１へ移る。ステップＳＰ４１において基地局１１Ａの制御部６３は、アンテナ６１及び通信処理部６２を介して対象端末である携帯電話機１２Ａと通信接続を開始したか否かを判定する。
【００６３】
ここで否定結果が得られると、このことは携帯電話機１２Ａと通信接続を未だ開始しておらず、当該携帯電話機１２Ａから履歴情報を収集可能な状態にはなっていないことを表しており、このとき基地局１１Ａの制御部６３は、携帯電話機１２Ａと通信接続を開始するまで待ち受ける。
【００６４】
これに対してステップＳＰ４１で肯定結果が得られると、このことは対象端末である携帯電話機１２Ａと通信接続を開始したので、履歴情報を収集可能な状態にあることを表しており、このとき基地局１１Ａの制御部６３は、次のステップＳＰ４２へ移る。
【００６５】
ステップＳＰ４２において基地局１１Ａの制御部６３は、携帯電話機１２ＡがＧＰＳアンテナ３３及びＧＰＳ受信部３４を介してＧＰＳ衛星から受信した衛星信号Ｓ１を位置情報管理部３５によって解析することにより得た緯度、経度及び高度からなる位置情報Ｄ１を当該携帯電話機１２Ａからエンコード部２３、送受信部２２及びアンテナ２１を介して取得し、次のステップＳＰ４３へ移る。
【００６６】
ステップＳＰ４３において基地局１１Ａの制御部６３は、携帯電話機１２Ａが当該基地局１１Ａからのパイロット信号に基づいて測定した受信可能なデータ通信速度Ｄ２を当該携帯電話機１２Ａからエンコード部２３、送受信部２２及びアンテナ２１を介して取得し、次のステップＳＰ４４へ移る。
【００６７】
ステップＳＰ４４において基地局１１Ａの制御部６３は、ステップＳＰ４３でデータ通信速度Ｄ２を取得した時点での時刻情報ＣＬＫ２をＲＴＣ回路６５によって検出し、次のステップＳＰ４５へ移る。
【００６８】
ステップＳＰ４５において基地局１１Ａの制御部６３は、ステップＳＰ４４で取得した時刻情報ＣＬＫ２、ステップＳＰ４２で取得した位置情報Ｄ１及びステップＳＰ４３で測定したデータ通信速度Ｄ２を対応付けることにより通信品質レベルに関する履歴情報を生成し、次のステップＳＰ４６へ移る。
【００６９】
ステップＳＰ４６において基地局１１Ａの制御部６３は、携帯電話機１２Ａから取得した位置情報Ｄ１に基づいて当該携帯電話機１２Ａが移動したか、又はＲＴＣ回路６５から供給される時刻情報ＣＬＫ２に基づいて履歴情報を生成してから所定時間が経過したか否かを判定する。
【００７０】
ここで否定結果が得られると、このことは対象端末である携帯電話機１２Ａが移動しておらず、かつ所定時間が経過してもいないので、あらたに履歴情報を生成する必要がないことを表しており、このとき基地局１１Ａの制御部６３は次のステップＳＰ４７へ移る。
【００７１】
これに対してステップＳＰ４６で肯定結果が得られると、このことは対象端末である携帯電話機１２Ａが移動したか、もしくは履歴情報を生成してから所定時間が経過しているので、あらたに履歴情報を生成する必要があることを表しており、このとき基地局１１Ａの制御部６３はステップＳＰ４２へ戻って履歴情報の生成処理を繰り返す。
【００７２】
ステップＳＰ４７において基地局１１Ａの制御部６３は、アンテナ６１及び通信処理部６２を介して対象端末である携帯電話機１２Ａと通信接続を終了したか否かを判定する。
【００７３】
ここで否定結果が得られると、このことは携帯電話機１２Ａと通信接続を未だ終了しておらず、履歴情報を収集中であることを表しており、このとき基地局１１Ａの制御部６３は、ステップＳＰ４２へ戻って履歴情報の生成処理を繰り返し、データベースの内容を逐次更新する。
【００７４】
これに対してステップＳＰ４７で肯定結果が得られると、このことは対象端末である携帯電話機１２Ａと通信接続を終了し、複数種類の履歴情報をデータ蓄積部６４に記憶することにより、図４に示したようなデータベース化を終了したことを表しており、このとき基地局１１Ａの制御部６３は、次のステップＳＰ４８へ移ってデータベース作成処理手順を終了する。
【００７５】
なお基地局１１Ａの制御部６３は、対象端末が携帯電話機１２Ａだけではなく、セル内に存在する他の携帯電話機１２Ｂも履歴情報を収集するための対象端末としており、複数の対象端末から履歴情報をデータ蓄積部６４に記憶することにより、第１の実施の形態のように携帯電話機１２Ａのデータ蓄積部３８に当該携帯電話機１２Ａだけの過去の履歴情報を記憶する場合と比較して圧倒的に豊富な履歴情報を収集することができるので、データベースとしての利用価値も非常に高いものとなる。
【００７６】
次に、基地局１１Ａの制御部６３から携帯電話機１２Ａに対してデータ通信速度を通知するガイド処理手順について、図８のフローチャートを用いて説明する。すなわち基地局１１Ａの制御部６３は、ルーチンＲＴ３の開始ステップから入ってステップＳＰ５１へ移る。
【００７７】
ステップＳＰ５１において基地局１１Ａの制御部６３は、ユーザのボタン操作に基づいて携帯電話機１２Ａからデータ通信品質ガイドモードへの移行要求がされたか否かを判定する。ここで否定結果が得られると、データ通信品質ガイドモードへの移行要求がされていないことを表しており、このとき基地局１１Ａの制御部６３は、移行要求がされるまで待ち受ける。
【００７８】
これに対してステップＳＰ５１で肯定結果が得られると、このことはデータ通信品質ガイドモードへの移行要求がされたことを表しており、このとき基地局１１Ａの制御部６３は、次のステップＳＰ５２へ移る。
【００７９】
ステップＳＰ５２において基地局１１Ａの制御部６３は、対象端末である携帯電話機１２Ａからデータ通信品質ガイドモードへの移行要求がされた時点での時刻情報ＣＬＫ２をＲＴＣ回路６５から取得し、次のステップＳＰ５３へ移る。
【００８０】
ステップＳＰ５３において基地局１１Ａの制御部６３は、対象端末である携帯電話機１２ＡがＧＰＳ受信部３４及び位置情報管理部３５を介して検出した現在位置の位置情報Ｄ１を当該携帯電話機１２Ａから取得し、次のステップＳＰ５４へ移る。
【００８１】
ステップＳＰ５４において基地局１１Ａの制御部６３は、対象端末である携帯電話機１２Ａの現在時刻及び現在位置と対応する履歴情報をデータ蓄積装置６４から複数読出し、次のステップＳＰ５５へ移る。
【００８２】
このとき基地局１１Ａの制御部６３は、データ蓄積部６４から複数読み出す履歴情報としては携帯電話機１２Ａから予め収集した履歴情報だけでなく他の携帯電話機１２Ｂ等から収集した履歴情報をも含まれている。
【００８３】
ステップＳＰ５５において基地局１１Ａの制御部６３は、現在位置の位置情報Ｄ１に基づいて当該携帯電話機１２Ａの現在位置を中心とした周囲約数１０[Ｍ]範囲内の地図データをデータ蓄積部６４から読出し、当該地図データに履歴情報から得たデータ通信速度を該当エリアに重ねることにより、第１の実施の形態と同様のガイド表示画面５０（図５）を生成し、これを対象端末である携帯電話機１２Ａへ送信し、次のステップＳＰ５６へ移ってガイド処理手順を終了する。
【００８４】
これにより携帯電話機１２Ａの制御部３０は、ガイド表示画面５０を表示部２７に表示することができ、自身の現在位置を示す現在位置マーク５１に対して当該現在位置マーク５１を含むエリア及びその周囲のエリアに関する過去のデータ通信速度の実績をユーザに対して視覚的に通知し得るようになされている。
【００８５】
以上の構成において、基地局１１Ａの制御部６３は、携帯電話機１２Ａ及び他の携帯電話機１２Ｂ等と通信接続し、当該携帯電話機１２Ａ及び他の携帯電話機１２Ｂ等から取得した位置情報Ｄ１及び実際のデータ通信速度Ｄ２と時刻情報ＣＬＫ２とを互いに対応付けることにより通信品質レベルに関する履歴情報を生成し、時系列に従ってデータ蓄積部６４に格納することにより、実際に通信接続した全ての携帯電話機１２Ａ及び他の携帯電話機１２Ｂから収集したデータ通信速度Ｄ２に基づくデータ量の豊富なデータベースを生成することができる。
【００８６】
そして基地局１１Ａの制御部６３は、携帯電話機１２Ａからデータ通信品質ガイドモードへの移行要求がされたことを認識すると、その時点とほぼ同時刻でかつ、当該携帯電話機１２Ａの現在位置の周囲近辺に関する履歴情報をデータ蓄積部３８から複数種類読み出し、データ通信速度Ｄ２を地図データの該当エリアに重ねたガイド表示画面５０を生成して携帯電話機１２Ａへ送り返す。
【００８７】
これにより携帯電話機１２Ａの制御部３０は、基地局１１Ａから受信したガイド表示画面５０を表示部２７に表示することができ、その結果、自身で過去に基地局１１Ａと通信接続を行った際の履歴情報だけでなく、他の携帯電話機１２Ｂ等を含めた多岐に渡る過去の履歴情報に基づくデータ通信速度Ｄ２の実績をもガイド表示画面５０を介してユーザに認識させることができる。
【００８８】
このように基地局１１Ａの制御部６３は、実際に通信接続した全ての携帯電話機１２Ａ及び携帯電話機１２Ｂ等から取得したデータ通信速度Ｄ２を履歴情報として用いてデータベース化することにより、携帯電話機１２Ａ自身のデータ通信速度を未だ取得していない場合であっても、当該携帯電話機１２Ａに対してガイド表示画面５０を提示して現在位置周辺のデータ通信速度をユーザに認識させることができる。
【００８９】
また基地局１１Ａの制御部６３は、このように実際に通信接続した全ての携帯電話機１２Ａ及び携帯電話機１２Ｂ等から取得したデータ通信速度Ｄ２を履歴情報として用いてデータベース化し、その履歴情報を用いてガイド表示画面５０を生成することにより、第１の実施の形態のように携帯電話機１２Ａだけで履歴情報を収集する場合と比較してデータの確からしさが高く、ユーザに対してデータ通信速度Ｄ２の優れたエリアを一段と正確に通知することができる。
【００９０】
この場合も基地局１１Ａの制御部６３は、位置情報Ｄ１に応じた一定範囲のエリアによりデータ通信速度Ｄ２を通知するのではなく、各履歴情報の位置情報Ｄ１に相当する一点だけを指定してデータ通信速度Ｄ２を通知するようにすれば、その通知結果の信頼性はより一層高いものとなり、適確かつより正確にデータ通信速度Ｄ２を通知することができる。
【００９１】
また基地局１１Ａの制御部６３が履歴情報をデータ蓄積部６４に格納しておき、携帯電話機１２Ａからの要求に応じてガイド表示画面５０を生成して送信するようにしたことにより、当該携帯電話機１２Ａに対して履歴情報を所有させるといった負荷を軽減させることができると共に、当該携帯電話機１２Ａと比較して大容量の履歴情報を所有することができる。
【００９２】
以上の構成によれば、基地局１１Ａの制御部６３は、通信接続した全ての携帯電話機１２Ａ及び携帯電話機１２Ｂ等から取得したデータ通信速度Ｄ２を履歴情報として用いてデータベース化し、ユーザから要求された時刻とほぼ同一時刻でかつほぼ同一場所を含む周辺のデータ通信速度Ｄ２をガイド表示画面５０によって通知することにより、現在位置及びその周囲のエリアに関する精度の高いデータ通信速度Ｄ２の実績をユーザに対して視覚的かつ容易に認識させることができる。
【００９３】
これによりセルラー無線通信システム１０は、ユーザに対して、ガイド表示画面５０を介して携帯電話機１２Ａの現在位置をデータ通信品質に優れたエリアへ容易に導くことができるので、最高の通信品質レベルでデータ通信を実行させるべきサービスを提供することができる。
【００９４】
（３）他の実施の形態
なお上述の第１及び第２の実施の形態においては、通知手段としての表示部２７にガイド表示画面５０を表示することにより、ユーザに対して現在位置周辺のデータ通信速度Ｄ２を視覚的に認識させるようにした場合について述べたが、本発明はこれに限らず、ユーザの移動に合わせて該当エリアに入ったときにデータ通信速度Ｄ２を通知手段としてのスピーカ２６によって音声として出力することにより聴覚的に認識させるようにしても良い。
【００９５】
また上述の第１及び第２の実施の形態においては、品質データとしてデータ通信速度をユーザに対して認識させるようにした場合について述べたが、本発明はこれに限らず、受信電界感度や他の種々のデータ通信品質を示す品質データをユーザに対して認識させるようにしても良い。
【００９６】
さらに上述の第１及び第２の実施の形態においては、地図データの該当エリアに履歴情報のデータ通信速度Ｄ２を重ねて生成したガイド表示画面５０（図５）を表示することにより該当エリア毎にデータ通信品質を通知するようにした場合について述べたが、本発明はこれに限らず、時間帯毎にデータ通信品質を通知するようにしても良い。
【００９７】
例えば図９に示すように、セルラー無線通信システム１０では、現在位置及び現在時刻と位置データＤ１及び時刻情報ＣＬＫ１とがほぼ該当するデータ通信速度Ｄ２と、現時時刻と時刻情報ＣＬＫ１とは該当しないが現在位置と位置情報Ｄ１とが該当するデータ通信速度Ｄ２をそれぞれ読み出し、現在時刻に該当する時刻情報ＣＬＫ１に応じたデータ通信速度Ｄ２として「現在２００[kbps]」の文字を地図上に重ねると共に、現時時刻と時刻情報ＣＬＫ１とは該当しないが現在位置と位置情報Ｄ１とが該当するデータ通信速度Ｄ２「PM10:00には４００[kbps]の予定です。AM1:00には６００[kbps]の予定です。」のカッコ書き文字を、メインの「現在２００[kbps]」の文字に対して補助的に地図上に重ねて生成したガイド表示画面７０を表示することにより、時間帯毎に変化するデータ通信速度Ｄ２の実績をユーザに対して視覚的に通知することができる。
【００９８】
この場合例えば画像データ等のデータ量の多いコンテンツをダウンロードする場合等にガイド表示画面７０で通知したデータ通信速度Ｄ２の速い時間帯になるまで待てば短時間でダウンロードできることをユーザに対して認識させ、その時間帯になるまで待つことを間接的に促すことができるので、最高の通信品質レベルでデータ通信を実行させることができる。
【００９９】
さらに上述の第１及び第２の実施の形態においては、地図データの該当エリアに履歴情報のデータ通信速度Ｄ２を重ねて生成したガイド表示画面５０（図５）を表示することにより該当エリア毎にデータ通信品質を通知するようにした場合について述べたが、本発明はこれに限らず、例えば図１０に示すように、該当エリア毎に分けてデータ通信速度Ｄ２を表示するだけでなく、必要に応じて図９で示したような時間帯毎に変化するデータ通信速度Ｄ２を同時に表示するようにしても良い。
【０１００】
この場合、セルラー無線通信システム１０では、ユーザに対してデータ通信速度Ｄ２の優れたエリアへ移動するか、若しくはデータ通信速度Ｄ２の優れた時間帯になるまで待つべきかを任意に選択させることができるので、ユーザに対する使い勝手を一段と向上させることができる。
【０１０１】
さらに上述の第１及び第２の実施の形態においては、本発明の履歴情報蓄積手段及び履歴情報蓄積装置としてハードディスクでなるデータ蓄積部３８及び６４を用い、履歴情報生成手段、書込手段及び読出手段としての制御部３０及び６３を用いるようにした場合について述べたが、本発明はこれに限らず、ＤＶＤ(digital Versatile Disk)や半導体メモリ等の他の種々の履歴情報蓄積手段及び履歴情報蓄積装置を用いるようにしても良い。
【０１０２】
さらに上述の第１及び第２の実施の形態においては、本発明を送信装置としての基地局１１Ａ及び受信装置としての携帯電話機１２Ａによって構築されたセルラー無線通信システムに適用するようにした場合について述べたが、本発明はこれに限らず、この他の種々の無線通信システムに適用するようにしても良い。
【０１０３】
【発明の効果】
上述のように本発明によれば、指定された時刻と、実際過去にデータを受信したときの受信時刻とがほぼ該当し、かつ指定された位置の周辺を含む複数の受信領域に該当する品質データを当該複数の受信領域毎に表示することに加えて、指定された時刻と一致しない他の受信時刻ではあるが、指定された位置の周辺を含む複数の受信領域に該当する品質データとその受信時刻についても補助的に表示することにより、受信領域毎かつ時間帯毎に品質データが変化することをユーザに認識させることができるので、品質データの速い受信領域へ移動するか、或いは品質データの速くなる時間帯になるまで待つかの選択肢を増やし、ユーザの使い勝手を一段と向上させることが出来、かくして通信品質レベルの状況を解り易く通知することにより一段と優れた通信品質レベルでデータ通信を実行させるべきサービスを提供し得る通信品質レベル制御システムを実現することができる。
【０１０４】
また本発明によれば、指定された時刻と、実際過去にデータを受信したときの受信時刻とがほぼ該当し、かつ指定された位置の周辺を含む複数の受信領域に該当する品質データを当該複数の受信領域毎に表示することに加えて、指定された時刻と一致しない他の受信時刻ではあるが、指定された位置の周辺を含む複数の受信領域に該当する品質データとその受信時刻についても補助的に表示することにより、受信領域毎かつ時間帯毎に品質データが変化することをユーザに認識させることができるので、品質データの速い受信領域へ移動するか、或いは品質データの速くなる時間帯になるまで待つかの選択肢を増やし、ユーザの使い勝手を一段と向上させることが出来、かくして通信品質レベルの状況を解り易く通知することにより一段と優れた通信品質レベルでデータ通信を実行させるべきサービスを提供し得る受信装置を実現することができる。
【０１０５】
さらに本発明によれば、通信品質レベル制御システムの送信装置では、通知対象となる受信装置だけでなく、複数の受信装置から供給を受けた履歴情報の品質データを蓄積し得るため、豊富な種類の履歴情報を収集し、データベースとしての利用価値を高め、受信装置から指定された時刻と受信時刻とがほぼ該当し、かつ受信装置から指定された位置の周辺を含む複数の受信領域に該当する品質データを履歴情報蓄積手段からそれぞれ読み出し、所定の表示部に表示した地図上の複数の受信領域に分けて重ねると共に、指定された時刻と受信時刻とが該当しないが指定された位置の周辺を含む複数の受信領域に該当する品質データとその受信時刻を履歴情報蓄積手段からそれぞれ読み出し、地図上の複数の受信領域に対して補助的に重ねることによりガイド表示画面を生成し、これを受信装置へ送信して表示させることにより、受信領域毎かつ時間帯毎に品質データが変化することをユーザに認識させることができるので、品質データの速い受信領域へ移動するか、或いは品質データの速くなる時間帯になるまで待つかの選択肢を増やし、ユーザの使い勝手を一段と向上させることが出来、かくして通信品質レベルの状況を解り易く通知することにより一段と優れた通信品質レベルでデータ通信を実行させるべきサービスを提供し得る通信品質レベル制御システムを実現することができる。
【０１０６】
さらに本発明によれば、通知対象となる受信装置だけでなく、複数の受信装置から供給を受けた履歴情報の品質データを蓄積し得るため、豊富な種類の履歴情報を収集し、データベースとしての利用価値を高め、受信装置から指定された時刻と受信時刻とがほぼ該当し、かつ受信装置から指定された位置の周辺を含む複数の受信領域に該当する品質データを履歴情報蓄積手段からそれぞれ読み出し、所定の表示部に表示した地図上の複数の受信領域に分けて重ねると共に、指定された時刻と受信時刻とが該当しないが指定された位置の周辺を含む複数の受信領域に該当する品質データとその受信時刻を履歴情報蓄積手段からそれぞれ読み出し、地図上の複数の受信領域に対して補助的に重ねることによりガイド表示画面を生成し、これを受信装置へ送信して表示させることにより、受信領域毎かつ時間帯毎に品質データが変化することをユーザに認識させることができるので、品質データの速い受信領域へ移動するか、或いは品質データの速くなる時間帯になるまで待つかの選択肢を増やし、ユーザの使い勝手を一段と向上させることが出来、かくして通信品質レベルの状況を解り易く通知することにより一段と優れた通信品質レベルでデータ通信を実行させるべきサービスを提供し得る送信装置を実現することができる。
【図面の簡単な説明】
【図１】本発明の第１及び第２の実施の形態におけるセルラー無線通信システムの全体構成を示す略線図である。
【図２】第１の実施の形態における携帯電話機の回路構成を示す略線的ブロック図である。
【図３】第１の実施の形態におけるデータベース作成処理及びガイド処理手順を示すフローチャートである。
【図４】データベースの内容を示す略線図である。
【図５】ガイド表示画面の一例を示す略線図である。
【図６】第２の実施の形態における基地局及び携帯電機の回路構成を示す略線的ブロック図である。
【図７】第２の実施の形態におけるデータベース作成処理手順を示すフローチャートである。
【図８】第２の実施の形態におけるガイド処理手順を示すフローチャートである。
【図９】他の実施の形態におけるガイド表示画面（１）を示す略線図である。
【図１０】他の実施の形態におけるガイド表示画面（２）を示す略線図である。
【図１１】サービス状態の説明に供する略線図である。
【図１２】従来の通信処理手順を示すフローチャートである。
【図１３】携帯電話機に対する単位時間当りの送信スロットの割り当ての説明に供する略線図である。
【符号の説明】
１、１０……セルラー無線通信システム、３、４、１２Ａ、１２Ｂ……携帯電話機、５、１１Ａ、１１Ｂ……基地局、３０、６３……制御部、３１……ＲＴＣ回路、３２……時刻情報管理部、３４……ＧＰＳ受信部、３５……位置情報管理部、３６……通信速度測定部、３８、６４……データ蓄積部。
【図１】
0003947963.tif 000002
【図２】
0003947963.tif 000003
【図３】
0003947963.tif 000004
【図４】
0003947963.tif 000005
【図５】
0003947963.tif 000006
【図６】
0003947963.tif 000007
【図７】
0003947963.tif 000008
【図８】
0003947963.tif 000009
【図９】
0003947963.tif 000010
【図１０】
0003947963.tif 000011
【図１１】
0003947963.tif 000012
【図１２】
0003947963.tif 000013
【図１３】
0003947963.tif 000014